(57)【特許請求の範囲】
【請求項１】
折り部を介して連接した２枚のシートと、これらシートの一方に重ね合わせる別体の１枚のシートとからなり、前記連接した２枚のシートのうち前記別体の１枚のシートを重ね合わせるシートを葉書本体シートとなし、他の各シートはこの葉書本体シートの表裏面に重ね合わせて剥離可能に接着するための貼着シートとなし、葉書本体シートの一面には葉書表示を設け、この葉書本体シートの葉書表示面側に重ね合わせる貼着シートは、前記葉書本体シートと重ね合わせた時に前記葉書表示が表出するよう、その幅を前記葉書本体シートよりも狭く、または切り欠き部を設けて構成し、前記葉書本体シートと前記各貼着シートの重ね合わせ面をそれぞれ通知情報記載面とする一方、前記葉書本体シートと前記各貼着シートの各重ね合わせ面の対接する各一方には、透視可能なシートを剥離可能または剥離困難に接着し、各透視可能なシートの表出面には、前記透視可能なシートが剥離可能であれば剥離困難な強粘着剤を設けるとともに剥離紙で被覆し、前記透視可能なシートが剥離困難であれば剥離可能な弱粘着剤を設けるとともに剥離紙で被覆し、前記透明なシートの表出面に剥離困難な強粘着剤を介して、または剥離可能な弱粘着剤を介して設けた剥離紙のうち葉書本体シートと連接した粘着シート側の剥離紙を控とし、葉書本体シートに前記控を重ね合わせ、葉書本体シートへの記入によって前記控の一面に複写記入するために、前記控の一面側に設けた顕色剤層と、この一面側と折り重なる前記葉書本体シート面に設けた塗料内包マイクロカプセル剤層とからなる複写構造を設けてなることを特徴とする重ね合わせ葉書用シート。
【発明の詳細な説明】
【０００１】
【発明の属する技術分野】
本発明は、封書と同様に親展性を有して所定の情報を通知できる重ね合わせ葉書とするための重ね合わせ葉書用シートに関し、特に、３紙片の表裏面である６面に情報を記載できるとともに、４面の通知情報を被覆隠蔽した状態で親展通知情報として通知できる葉書とするための、折り部を介して連接した２枚のシートと、これらシートの一方に重ね合わせる別体の１枚のシートとからなる葉書用シートに関する。なお、本明細書でいう親展通知情報とは、被覆隠蔽した状態で通知される情報を意味し、単なる説明文のような秘匿性を必要としない情報も含まれるものである。
【０００２】
【従来の技術】
従来、他人が通知情報を視認できないように親展化して通知しうる葉書として、６面に情報を記載できるとともに、４面の通知情報を被覆隠蔽した状態で親展通知情報として通知できる重ね合わせ葉書が知られており、また、このような重ね合わせ葉書を作成するための３枚のシートからなる葉書用シートも知られている。
【０００３】
しかしながら、従来の重ね合わせ葉書用シートは、３枚のシートを重ね合わせて重ね合わせ面を接着するには、シートの折り機構及び圧着または熱着する接着機構を備えた専用の葉書作成機が必要であった。
【０００４】
【発明が解決しようとする課題】
このため、従来の重ね合わせ葉書用シートは、大量処理には適しているが、少数の重ね合わせ葉書を必要とする、一般家庭や小事務所などの高価な専用の葉書作成機を備えることができないものの需要には、応えることがでなかった。
【０００５】
また、現行の郵便法の規定では、葉書本体に「郵便葉書」等の葉書表示が必要とされ、また、葉書本体の重量は２ｇ以上と定められているほか、葉書全体の重量は６ｇ以下と定められている。このため、３枚のシートからなる葉書用シートでは、葉書本体シートは２ｇ以上の重量を有し、残りの２枚のシートは総重量が４ｇ以下でなければならない。
【０００６】
本発明は、このような事情に鑑みてなされたもので、専用の葉書作成機を備えることなく、通知情報量の多い重ね合わせ葉書を簡便に作成できるとともに、現行の郵便法の規定にも合致する重ね合わせ葉書用シートを提供することを目的とする。
【０００７】
【課題を解決するための手段】
この目的を達成するために、本発明の請求項１に記載した重ね合わせ葉書用シートは、折り部を介して連接した２枚のシートと、これらシートの一方に重ね合わせる別体の１枚のシートとからなり、前記連接した２枚のシートのうち前記別体の１枚のシートを重ね合わせるシートを葉書本体シートとなし、他の各シートはこの葉書本体シートの表裏面に重ね合わせて剥離可能に接着するための貼着シートとなし、葉書本体シートの一面には葉書表示を設け、この葉書本体シートの葉書表示面側に重ね合わせる貼着シートは、前記葉書本体シートと重ね合わせた時に前記葉書表示が表出するよう、その幅を前記葉書本体シートよりも狭く、または切り欠き部を設けて構成し、前記葉書本体シートと前記各貼着シートの重ね合わせ面をそれぞれ通知情報記載面とする一方、前記葉書本体シートと前記各貼着シートの各重ね合わせ面の対接する各一方には、透視可能なシートを剥離可能または剥離困難に接着し、各透視可能なシートの表出面には、前記透視可能なシートが剥離可能であれば剥離困難な強粘着剤を設けるとともに剥離紙で被覆し、前記透視可能なシートが剥離困難であれば剥離可能な弱粘着剤を設けるとともに剥離紙で被覆し、前記透明なシートの表出面に剥離困難な強粘着剤を介して、または剥離可能な弱粘着剤を介して設けた剥離紙のうち葉書本体シートと連接した粘着シート側の剥離紙を控とし、葉書本体シートに前記控を重ね合わせ、葉書本体シートへの記入によって前記控の一面に複写記入するために、前記控の一面側に設けた顕色剤層と、この一面側と折り重なる前記葉書本体シート面に設けた塗料内包マイクロカプセル剤層とからなる複写構造を設けてなるものである。
【０００８】
【発明の実施形態】
以下、本発明の好適な実施形態を添付図面に基づいて説明する。ここにおいて、図１〜図６は第１の実施形態を示し、図１は重ね合わせ葉書用シートの概略的な斜視図、図２は図１の全構成要素を示すＡ−Ａ線断面図、図３は作成した重ね合わせ葉書の概略的な斜視図、図４は図３の全構成要素を示すＢ−Ｂ線断面図、図５は控たる剥離紙の複写記入状態を示す概略的な平面図、図６は重ね合わせ面を剥離した状態を示す重ね合わせ葉書の概略的な斜視図、図７は第２の実施形態を示す重ね合わせ葉書用シートの全構成要素を示す断面図、図８〜図１０は第３の実施形態を示し、図８は重ね合わせ葉書用シートの概略的な斜視図、図９は同じく裏面側を示す概略的な平面図、図１０は図８の全構成要素を示すＣ−Ｃ線断面図である。
【０００９】
まず、図１〜図６に基づいて、第１の実施形態を説明する。図１及び図２に示すように、重ね合わせ葉書用シート１は、折り用ミシン目５を介して連接した葉書本体シート２及び貼着シート３と前記葉書本体シート２の表面側（葉書本体シート２の図１に表示した面を表面側とする、以下同じ）に重ね合わせてなる貼着シート４とからなる。前記貼着シート３は前記折り用ミシン目５から葉書本体シート２の裏面側に重ね合わせて剥離可能に接着するもので、前記貼着シート４は重ね合わされている前記葉書本体シート２の表面側に剥離可能に接着するものである。
【００１０】
貼着シート３は葉書本体シート２とほぼ同一サイズである。一方、貼着シート４は、葉書本体シート２よりも小さいサイズからなる。そして、前記葉書本体シート２のこの貼着シート４と重なり合わない折り用ミシン目５に沿った部分には、「郵便はがき」という葉書表示６を設けている。また、前記葉書本体シート２と前記各貼着シート３，４との重ね合わせ面をそれぞれ通知情報記載面としている。
【００１１】
葉書本体シート２裏面と貼着シート３との重ね合わせ面の一方側である貼着シート３面には、折り用ミシン目５に沿った部分に、接着体１５を強粘着剤１２によって捲り上げ可能に接着している。この接着体１５は、熱溶着によって形成した不完全溶着層８を介して剥離可能に疑似的に接着した、熱可塑性樹脂からなる２枚の透明シート９，１０の各表出面に、剥離困難な強粘着剤１１，１２を設け、強粘着剤１１は全面的に剥離紙１３で被覆し、強粘着剤１２は一端縁に沿った部分を除いて剥離紙１４で被覆してなる。前記剥離紙１３には剥離開始動作を容易にするためのスリット１６を形成している。
【００１２】
また、剥離紙１３は控となるもので、図２に示すように、その表出面には顕色剤層１７を設けている。一方、葉書本体シート２の裏面側には、同じく図２に示すように、染料内包マイクロカプセル剤層１８を設けている。これら顕色剤層１７と染料内包マイクロカプセル剤層１８とによって、前記葉書本体シート２の表面側への記入により、前記剥離紙１３に複写記入するための複写構造を構成している。
【００１３】
顕色剤層１７を形成する顕色剤は、レジンや活性白土等から適宜選択して使用することができる。染料内包マイクロカプセル剤層１８を形成する染料内包マイクロカプセル剤は、例えば、芯物質をロイコ系染料とし、酸触媒及び乳化機能を有するスチレン−無水マレイン酸の部分加水分解物と、メラミンまたは尿素とホルマリンあるいはこれらのプレポリマを用い、インサイチュ法によって尿素−ホルマリン樹脂を形成し、これをカプセル壁材として生成した染料内包マイクロカプセル剤について、そのカプセル壁材を覆うような状態でカプセル壁材及びインキビヒクルの双方に親和性のある界面活性剤層を設け、さらに真空蒸留法をもって水分を選択的に気化し、除去することで、水系で生成された染料内包マイクロカプセルを、この界面活性剤層を介してインキビヒクル中に分散状態で置換せしめて得ることができる。
【００１４】
さらに、図２に示すように、葉書本体シート２表面と貼着シート４との重ね合わせ面には、接着体２７を強粘着剤２３，２４によって前記各シート２，４に対して捲り上げ可能に接着している。この接着体２７は、上述した接着体１５と同一構成であり、熱溶着によって形成した不完全溶着層１９を介して剥離可能に疑似的に接着した、熱可塑性樹脂からなる２枚の透明シート２０，２１の各表出面に、剥離困難な強粘着剤２３，２４を設け、各強粘着剤２３，２４を一端縁に沿った部分を除いて剥離紙２５，２６で被覆してなる。
【００１５】
上述の各透明シート９，１０，２０，２１は、ポリエチレン、ポリプロピレン、ポリスチレン、ポリエステル、ポリ塩化ビニル、ポリ酢酸ビニル、メタクリル樹脂等のなかから適宜選択して使用することができる。
【００１６】
図１に示すように、各貼着シート３，４の表出面側にはそれぞれ、貼着シート３の左下隅部と、貼着シート４の右下隅部とに向けた矢印と「ここからはがして下さい」という文からなる剥離開始端指示表示３０，３１をあらかじめ印刷している。
【００１７】
そして、図１及び図２に示すように、各接着体１５，２７の幅は、葉書本体シート２及び各貼着シート３の幅よりも狭く構成し、突出した各シート端２，３，４が、重ね合わせ葉書を作成した時に、各重ね合わせ面を剥離する際の指掛け部となる。
【００１８】
次に、上述した重ね合わせ葉書用シート１から重ね合わせ葉書を作成する手順を説明する。まず、折り用ミシン目５で葉書本体シート２の裏面側に貼着シート３を折り重ね（図３参照）、葉書本体シート２から接着体２７を捲り上げて、前記葉書本体シート２の表面側に親展通知情報３２（図４参照）を記入する。すると、図５に示すように、この親展通知情報３２が、染料内包マイクロカプセル剤層１８と顕色剤層１７の作用によって、控である剥離紙１３に控情報３３として複写記入される。
【００１９】
次いで、重ね合わせ葉書用シート１を再び展開するとともに、図１状態とは表裏面を反対にしたうえ、貼着シート４から接着体２７を捲り上げて、前記貼着シート４の葉書本体シート２との重ね合わせ面に親展通知情報３４（図４参照）を記入する。また、貼着シート３から接着体１５を捲り上げて、前記貼着シート３の葉書本体シート２との重ね合わせ面に親展通知情報３５（図４参照）を記入する。さらに、前記葉書本体シート２の裏面側には親展通知情報３６（図４参照）を記入する。
【００２０】
続いて、重ね合わせ葉書用シート１の表裏面を再び反対にし、図１状態にしたうえ、貼着シート４の表出面には宛名情報３７（図３、図４参照）を記入し、貼着シート３の表出面には差出人情報（図示せず）を記入する。
【００２１】
さらに続いて、接着体２７を葉書本体シート２及び貼着シート４から順次捲り上げて各剥離紙２５，２６を剥離し、露出した強粘着剤２３，２４によって前記葉書本体シート２と前記貼着シート４との重ね合わせ面を、透明シート２０，２１を介して接着する。
【００２２】
さらに、剥離紙１４を剥離し、透明シート１０を露出した強粘着剤１２により、貼着シート３の裏面（葉書本体シート２との重ね合わせ面）側に接着する。そして、控である剥離紙１３を剥離し、貼着シート３を葉書本体シート２の裏面に折り用ミシン目５から折り重ね、露出した強粘着剤１１によって、前記葉書本体シート２の裏面に透明シート９を接着して、前記各シート２，３の重ね合わせ面を、２枚の透明シート９，１０を介して剥離可能に接着する。これによって、図３及び図４に示す重ね合わせ葉書３８が作成される。
【００２３】
この重ね合わせ葉書３８は、所定金額の切手を貼付すれば、通常の官製葉書と同様に投函可能となる。一方、この重ね合わせ葉書３８を受領した宛名人は、各剥離開始端指示表示３０，３１にしたがい、各貼着シート３，４を順次捲り上げる。すると、それぞれ剥離可能に疑似的に接着している透明シート２０，２１及び９，１０が剥離し、図６に示すように、葉書本体シート２の表裏面から前記各貼着シート３，４が剥離して、各透明シート９，１０，２０，２１を透して隠蔽されていた親展通知情報３６，３５，３２，３４を視認することができる。
【００２４】
次に、図７に基づいて本発明の第２の実施形態を説明する。本実施形態の重ね合わせ葉書用シート４１は、第１の実施形態における２枚の透明シート９，１０及び２０，２１を有する各接着体１５，２７に換えて、１枚の透明シート４５，４６を強粘着剤４７，４８によって、剥離困難に各貼着シート４３，４４の葉書本体シート４２との重ね合わせ面に接着している。
【００２５】
そして、各透明シート４５，４６の強粘着剤４７，４８塗布面とは反対面には、剥離可能な弱粘着剤４９，５０を塗布し、弱粘着剤４９は一部を露出するように剥離紙５１で被覆する一方、弱粘着剤５０は全面的に剥離紙５２で被覆して、貼着シート４４を前記弱粘着剤４９によって葉書本体シート４２に捲り上げ可能に接着している。前記剥離紙５２には、剥離動作を容易にするためのスリット５２ａを設けている。
【００２６】
また、重ね合わせ葉書を作成した時の指掛け部とするために、各透明シート４５，４６及び剥離紙５１，５２の端部が、葉書本体シート４２及び各貼着シート４３，４４の端部の内側に位置している。
【００２７】
本実施形態では、各透明シート４５，４６は各貼着シート４３，４４と剥離困難であるため、各貼着シート４３，４４にあらかじめ所定の親展通知情報５３，５４を印字あるいは印刷したうえ、各透明シート４５，４６を接着している。なお、図７において、５５は折り用ミシン目、５６は葉書表示、５７は顕色剤層、５８は染料内包マイクロカプセル剤層である。
【００２８】
上述した重ね合わせ葉書用シート４１から重ね合わせ葉書（図示せず）を作成する手順で第１の実施形態と相違するのは、各貼着シート４３，４４の重ね合わせ面には親展通知情報５３，５４があらかじめ印字あるいは印刷されているので、葉書本体シート４２の表裏面にのみ親展通知情報を記入する点だけである。そして、剥離紙５２が控となり、貼着シート４３を葉書本体シート４２の裏面側に折り用ミシン目５５から折り重ねた状態で、貼着シート４４を捲り上げて葉書本体シート４２の表面側に記入した親展通知情報（図示せず）が、控情報として前記剥離紙５２に複写記入される。
【００２９】
また、この第２の実施形態では、作成された重ね合わせ葉書の重ね合わせ面を各貼着シート４３，４４を捲り上げて剥離すると、各透明シート４５，４６は各貼着シート４３，４４側に接着した状態となり、葉書本体シート４２には透明シート４５，４６が存在しない状態となって、葉書本体シート４２の表裏面に記入した親展通知情報（図示せず）は露出した状態で視認可能になる一方、各貼着シート４３，４４に記入した親展通知情報５３，５４は各透明シート４５，４６を透して視認可能となる。
【００３０】
次に、図８〜図１０に基づいて、第３の実施形態を説明する。図８〜図１０に示すように、重ね合わせ葉書用シート６１は、折り用ミシン目６５を介して連接した葉書本体シート６２及び貼着シート６４と、前記葉書本体シート６２の表面側に重ね合わせてなる貼着シート６３とからなる。各貼着シート６３，６４は葉書本体シート６２とほぼ同一サイズであり、前記貼着シート６３は重ね合わされている前記葉書本体シート６２の表面側に剥離可能に接着するものである。
【００３１】
貼着シート６４は、折り用ミシン目６５から葉書本体シート６２の裏面側に重ね合わせるもので、その上端部分に切り欠き部６６を備えている。そして、図９に示すように、この貼着シート６４を前記葉書本体シート６２の裏面側に重ね合わせた時に、前記切り欠き部６６に対応する前記葉書本体シート６２の裏面には、「郵便はがき」という葉書表示６７を設けている。また、前記葉書本体シート６２と各貼着シート６３，６４との重ね合わせ面をそれぞれ通知情報表示面としている。
【００３２】
図１０に示すように、葉書本体シート６２表面と貼着シート６３との重ね合わせ面には、接着体６８を強粘着剤６９，７０によって前記各シート６２，６３に対して捲り上げ可能に接着している。この接着体６８の構成は、上述した第１の実施形態の接着体２７と同一であり、不完全溶着層７１により剥離可能に疑似的に接着した２枚の透明シート７２，７３と、これら透明シート７２，７３に設けた前記強粘着剤６９，７０の一部を露出して被覆する剥離紙７４，７５とを備えている。
【００３３】
同じく図１０に示すように、葉書本体シート６２裏面と貼着シート６４との重ね合わせ面の一方側である貼着シート６４面には、熱可塑性樹脂からなる透明シート７６を剥離困難な強粘着剤７７によって接着している。前記透明シート７６の前記貼着シート６４とは反対面側には、同じく熱可塑性樹脂からなる透明シート７８を、熱溶着によって形成した不完全溶着層７９を介して剥離可能に疑似的に接着している。したがって、前記透明シート７８は、前記貼着シート６４に不完全溶着層７９から剥離可能に接着している。
【００３４】
本実施形態では、透明シート７６は貼着シート６４と剥離困難であるため、貼着シート６４にあらかじめ所定の親展通知情報８０を印字あるいは印刷したうえ、透明シート７６を接着している。また、透明シート７８の表出面には、剥離困難な強粘着剤８１を設けたうえ、剥離紙８２で被覆している。この剥離紙８２は控となるもので、その表出面には顕色剤層８３を設けている。そして、上述の切り欠き部６６は、透明シート７６、不完全溶着層７９、透明シート７８及び剥離紙８２にまで及ぶよう設けられている。
【００３５】
一方、葉書本体シート６２の裏面側には、染料内包マイクロカプセル剤層８４を設け、これら顕色剤層８３と染料内包マイクロカプセル剤層８４とによって、接着体６８を捲り上げて前記葉書本体シート６２の表面側へ記入することにより、前記剥離紙８２に複写記入するための複写構造を構成している。なお、各剥離紙７４，７５，８２には剥離動作を容易にするためのスリット８５，８６，８７をそれぞれ設けている。
【００３６】
さらに、重ね合わせ葉書を作成した時の指掛け部を形成するために、接着体６８、各透明シート７６，７８及び剥離紙８２の各一端部が、葉書本体シート６２、貼着シート６３，６４の各一端部の内側に位置するよう構成している。
【００３７】
上述した重ね合わせ葉書用シート６１から重ね合わせ葉書（図示せず）を作成する手順で第１の実施形態と相違するのは、貼着シート６４の重ね合わせ面には親展通知情報８０があらかじめ印字あるいは印刷されているので、この貼着シート６４の重ね合わせ面を除いた、葉書本体シート６２の表裏面及び貼着シート６３の重ね合わせ面に親展通知情報を記入する点だけである。そして、剥離紙８２が控となり、貼着シート６４を葉書本体シート６２の裏面側に折り用ミシン目６５から折り重ねた状態で、接着体６８を捲り上げて葉書本体シート６２の表面側に記入した親展通知情報（図示せず）が、控情報として前記剥離紙８２に複写記入される。
【００３８】
また、この第３の実施形態では、作成された重ね合わせ葉書の重ね合わせ面を剥離するには、各貼着シート６３，６４を捲り上げればよい。これによって、各透明シート７２，７３，７６，７８を透して葉書本体シート６２及び各貼着シート６３，６４の重ね合わせ面に表示した親展通知情報８０（貼着シート６４についてのみ図示）を視認することができる。
【００３９】
なお、本発明は上述した各実施形態に限られるものではなく、例えば、各重ね合わせ面に設ける透明シート９，１０，２０，２１，４５，４６，７２，７３，７６，７８は、２枚同士あるいは１枚同士ではなく、２枚と１枚とを組み合わせてもよい。また、葉書表示６，５６，６７は「郵便はがき」のほか、郵便葉書を意味する字句であればよく、「ＰＯＳＴ  ＣＡＲＤ」のような英文字による表示でもよいものである。
【００４０】
重ね合わせ葉書用シート１，４１，６１には、作成した葉書３８の重ね合わせ面を剥離する時の指掛け部として、各透明シート９，１０，２０，２１，４５，４６，７２，７３，７６，７８の幅を各貼着シート３，４，４３，４４，６３，６４や葉書本体シート２，４２，６２の幅よりも狭く設定するほか、各貼着シート３，４，４３，４４，６３，６４の隅部に切り欠き部を設けたり、各透明シート９，１０，２０，２１，４５，４６，７２，７３，７６，７８の端縁に凹部を形成することもできる。
【００４１】
【発明の効果】
このようにして、本願の請求項１の発明である重ね合わせ葉書用シートによれば、専用の葉書作成機を備えることなく、通知情報量の多い重ね合わせ葉書を簡便に作成できるとともに、現行の郵便法の規定にも合致する重ね合わせ葉書を作成でき、通知情報を複写記入した控を得られるので、通知情報の管理が容易になるうえ、従来は葉書作成後に廃棄していた剥離紙を控として利用することができるほか、貼着シートを控とともに意識的に折り重ねないと複写できないので、不用意な取り扱いで誤って複写されることがないという効果を奏する。
【図面の簡単な説明】
【図１】  第１の実施形態の重ね合わせ葉書用シートの一部構成要素を省略した概略的な斜視図。
【図２】  同じく図１の全構成要素を示すＡ−Ａ線断面図。
【図３】  同じく作成した重ね合わせ葉書の概略的な斜視図。
【図４】  同じく図３の全構成要素を示すＢ−Ｂ線断面図。
【図５】  同じく控たる剥離紙の複写記入状態を示す概略的な平面図。
【図６】  同じく重ね合わせ面を剥離した状態の重ね合わせ葉書の概略的な斜視図。
【図７】  第２の実施形態の重ね合わせ葉書用シートの全構成要素を示す断面図。
【図８】  第３の実施形態の重ね合わせ葉書用シートの概略的な斜視図。
【図９】  同じくその裏面側を示す平面図
【図１０】  同じく図８の全構成要素を示すＣ−Ｃ線断面図
【符号の説明】
１，４１，６１      重ね合わせ葉書用シート
２，４２，６２      葉書本体シート
３，４，４３，４４，６３，６４      貼着シート
５，５５，６５      折り用ミシン目
６，５６，６７      葉書表示
８，１９，７１，７９      不完全溶着層
９，１０，２０，２１，４５，４６，７２，７３，７６，７８      透明シート
１１，１２，２３，２４，４７，４８，６９，７０，７７，８１      強粘着剤
１３，１４，２５，２６，５１，５２，７４，７５，８２      剥離紙
１５，２７，６８      接着体
１７，５７，８３      顕色剤層
１８，５８，８４      染料内包マイクロカプセル剤層
３２，３４，３５，３６，５３，５４，８０      親展通知情報
３３      控情報
３８      重ね合わせ葉書
４９，５０      弱粘着剤
６６      切り欠き部
【図１】
0003986111.tif 000002
【図２】
0003986111.tif 000003
【図３】
0003986111.tif 000004
【図４】
0003986111.tif 000005
【図５】
0003986111.tif 000006
【図６】
0003986111.tif 000007
【図７】
0003986111.tif 000008
【図８】
0003986111.tif 000009
【図９】
0003986111.tif 000010
【図１０】
0003986111.tif 000011